(57)【要約】  体型補整衣類（１）および布帛が提供される。衣類は、内側布帛（４）層と外側布帛層（６）とを含む。内側布帛層は、外側布帛層に対して角度をなした配向で配置されている。さらに、内側布帛層および外側布帛層は、十分に等方性のヒステリシスを有する。
2009511764.tif 000002
【特許請求の範囲】
【請求項１】
内側布帛層と外側布帛層とを有する成形可能な身体領域と接触する身体接触部分を含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層が一緒になって、下式
【数１】
2009511764.tif 000009
により定義される変動係数（Ｓ）を有する各布帛層に対してヒステリシス値を有する材料を提供することを特徴とする体型補整衣類。
【請求項２】
前記衣類がブラジャーであることを特徴とする請求項１に記載の衣類。
【請求項３】
前記身体接触部分が乳房受けカップであることを特徴とする請求項１に記載の衣類。
【請求項４】
前記第１の角度θ１が１５°から１６５°まで変動することを特徴とする請求項１に記載の衣類。
【請求項５】
前記内側布帛層の前記第１のＸ−Ｘ’軸が、前記衣類により画定される水平軸から第２の角度θ２をなすように、前記内側布帛層および前記外側布帛層が配向されており、前記第２の角度θ２が０から１８０°まで変動することを特徴とする請求項１に記載の衣類。
【請求項６】
前記内側布帛層および前記外側布帛層が、サーキュラーニット、トリコットワープニット、ラッセルワープニット、レース、フラットニット、織布および不織布を含むことを特徴とする請求項１に記載の衣類。
【請求項７】
前記内側布帛層および前記外側布帛層がそれぞれコポリエステル系スパンデックスを含むことを特徴とする請求項１に記載の衣類。
【請求項８】
前記内側布帛層および前記外側布帛層が成形されていることを特徴とする請求項１に記載の衣類。
【請求項９】
前記ブラジャーが一対のカップを有し、各カップがフル、ハーフまたは一部被覆タイプのうちの１つであることを特徴とする請求項２に記載の衣類。
【請求項１０】
前記内側布帛層が前記外側布帛層に接合されていることを特徴とする請求項９に記載の衣類。
【請求項１１】
前記衣類が、
左カップと、
左ウィング部と、
左ショルダストラップと、
ブリッジと、
右カップと、
右ウィング部と、
右ショルダストラップと、
留め具と、
相手留め具またはフックバンドとを含み、
前記左カップの一端は前記左ウィング部に、他端は前記ブリッジの一端に取り付けられており、
前記左ショルダストラップの一端は前記左ウィング部分の遠心端に、他端は前記左カップの上部に接続されており、
前記右カップの一端は前記右ウィング部に、他端は前記ブリッジの一端に取り付けられており、
前記右ショルダストラップの一端は前記右ウィング部の遠心端に、他端は前記右カップの上部に接続されており、
前記留め具が前記右ウィング部の前記遠心端に接続されており、
前記相手留め具が前記左ウィング部の前記遠心端に接続されていることを特徴とする請求項１０に記載の衣類。
【請求項１２】
前記右カップおよび前記左カップにより画定されている一対のカップと、前記右ウィング部および前記左ウィング部により画定されている一対のウィング部とのうち少なくとも１つに取り付けられたシースと、前記シース内に含まれるアンダーワイヤーとをさらに含むことを特徴とする請求項１１に記載の衣類。
【請求項１３】
前記ブラジャーが、バンドのないアンダーワイヤー、バンドのあるアンダーワイヤー、隠しアンダーワイヤー、ハーフカップアンダーワイヤー、ソフトカップ不可視サポートおよび三角ソフトカップミニマルブラのうちの少なくとも１つであることを特徴とする請求項１２に記載の衣類。
【請求項１４】
前記カップがそれぞれ２〜５層の布帛を含むことを特徴とする請求項９に記載の衣類。
【請求項１５】
前記成形可能な身体領域が、乳房、太もも、臀部、腹部および鼠径部からなる群より選択されることを特徴とする請求項１に記載の衣類。
【請求項１６】
前記身体接触部分は、弾性繊維と１枚または複数枚の中間層とをそれぞれ有する布帛の２枚以上の層を含むことを特徴とする請求項１に記載の衣類。
【請求項１７】
前記１枚または複数枚の中間層が、弾性繊維を有する層間に配置されていることを特徴とする請求項１６に記載の衣類。
【請求項１８】
前記１枚または複数枚の中間層が、布帛、フィルム、ファイバーフィル、発泡体、不織布およびこれらの組み合わせからなる群より選択される組成物を含むことを特徴とする請求項１６に記載の衣類。
【請求項１９】
前記衣類が、アクティブウェア、スポーツウェア、靴下、包帯および肌にじかに着ける衣類からなる群より選択されることを特徴とする請求項１に記載の衣類。
【請求項２０】
内側布帛層と外側布帛層とを含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層が一緒になって、下式
【数２】
2009511764.tif 000010
により定義される変動係数（Ｓ）を有する各布帛層に対してヒステリシス値を有する材料を提供することを特徴とする少なくとも２層を有する多層布帛。
【請求項２１】
体型補整部分を含み、
前記体型補整部分が、内側層と外側層とを有する多層布帛を含み、
前記内側布帛層が第１のＸ−Ｘ’軸および第１のＹ−Ｙ’軸を画定し、前記外側布帛層が第２のＸ−Ｘ’軸および第２のＹ−Ｙ’軸を画定し、前記内側布帛層および外側布帛層は、前記内側布帛層の前記第１のＸ−Ｘ’軸が、前記外側布帛層の前記第２のＸ−Ｘ’軸に対して第１の角度θ１をなすように配向されており、
前記内側布帛層および前記外側布帛層がそれぞれ弾性布を含み、それぞれ多方向弾性を提供することを特徴とする衣類。
【発明の詳細な説明】
【技術分野】
【０００１】
本発明は、サポート、補整および／または快適さを、軟部組織領域等の成形可能な身体領域に与える布帛および衣類に関する。ブラジャー等の体型補整衣類やその他体型補整衣類構造が多層の弾性布で作製される。
【０００２】
（関連出願の相互参照）
本出願は、参照によりその全内容が本明細書に援用される２００５年１０月１１日出願の米国特許出願第１１／２４８，７８７号明細書の一部継続出願である。
【背景技術】
【０００３】
衣類業界において、デザイナー達は、快適に着用でき、プロポーションを良くし、軽量かつ美観のよい女性の体型補整衣類（例えば、ブラジャー、ランジェリー、ガードル、ストレッチパンツおよびスイムスーツ）の開発を模索している。特に、ブラジャー構造には、（ａ）着用者の快適さと（ｂ）乳房のリフトサポートという２つの主たる目標がある。２つの主たる目標は相反するものである。
【０００４】
ブラジャーは、サポート、補整および／または快適さを、成形可能な軟部組織領域に与える衣類の一例である。軽量で、快適かつ乳房のサポートを与える様々なタイプのブラジャーがデザインされてきた。多くのブラジャーは、着用者の快適さのために、伸縮性または弾性のある材料を組み込んでいる。しかしながら、これらブラジャーの多くは、締め付ける材料を利用することにより乳房をサポートしている。例えば、締め付ける材料は、乳房を身体に対して圧力により押して、刺激や不快感を生じる。あるいは、締め付ける材料は、着用者の皮膚を押したり、曲げたり、つついたりする場合もある。ブラデザインに用いられる、かかる締め付ける材料としては、これらに限られるものではないが、着用者の皮膚を直接押すアンダーワイヤー、重弾性材料、パッドおよびシームが例示される。
【０００５】
さらに、体型補整衣類着用中、着用者は、身体が動くと衣類位置が何度も変わるという経験をすることがある。これらの変化は、着用者の快適さに悪影響を及ぼす。例えば、動作によって、身体および衣類が直接接触しない部分が着用者に生じる。さらに、動作が生じるにつれて、衣類が身体に沿って滑る。動作している間、成形可能な身体領域から衣類を離すと、一般的に体型補整やサポートが失われる結果となり望ましくない。すなわち、衣類が身体の動作の結果として動くと、元の位置に戻ることができない。衣類の快適さも影響を受ける。着用者の動作や、その結果としての衣類の移動によって、着用者が衣類を身体の元の位置に戻せば、元の快適さや補整が得られる。
【０００６】
１９８４年１１月１３日発行の「２層カップおよびブラジャーを製造する方法（Ｍｅｔｈｏｄ  ｏｆ  Ｆａｂｒｉｃａｔｉｎｇ  Ｔｗｏ  Ｌａｙｅｒ  Ｃｕｐｓ  ａｎｄ  Ｂｒａｓｓｉｅｒｅ）」、コール（Ｃｏｌｅ）らによる米国特許公報（特許文献１）には、２層の伸縮性材料から成形されたブラジャーカップが開示されている。しかしながら、得られるカップは、伸縮性でない頂部分、実質的に伸縮性でない長手方向カップ部分および一体型の多方向伸縮性周囲部がある。成形後のカップに伸縮性がないと、着用者の快適さや衣類の補整能力が制限される。
【０００７】
１９９５年９月５日発行の「布帛ラミネートおよびそれを組み込んだ衣類（Ｆａｂｒｉｃ  Ｌａｍｉｎａｔｅ  ａｎｄ  Ｇａｒｍｅｎｔｓ  Ｉｎｃｏｒｐｏｒａｔｉｎｇ  Ｓａｍｅ）」、スミス（Ｓｍｉｔｈ）らによる米国特許公報（特許文献２）には、ある程度の調節性を与えるのが望ましい、衣類の別々の部分を形成するのに用いられる多層伸縮性布帛が開示されている。伸縮性調節ラミネート布帛を選択的に用いることにより、業界では前進があったが、米国特許公報（特許文献２）の布帛ラミネートは、選択的に用いるだけであり、衣類の全体に用いることは意図されていない。（特許文献２）の材料を、衣類を形成する主たる布帛として用いた場合、衣類は締め付けすぎるか、かつ／または衣類全体（衣類の選択した部分だけでなく）が同じ調節性を有することになる。
【０００８】
２００１年１１月１１日公開の「ブラジャー（Ｂｒａｓｓｉｅｒｅ）」という名称の独国特許（特許文献３）には、互いに少なくとも部分的に分離された２つのパッド付きブラカップが開示されている。さらに、各パッド付きブラカップは、２つの伸縮性織布層を有している。しかしながら、２つの伸縮性織布層は、１つの軸に沿ってのみ（すなわち、Ｘ軸かＹ軸のいずれかで、両方に沿ってではない）実質的に可撓性である。すなわち、独国特許（特許文献３）には、内側および外側布帛層が、それぞれ一方向に弾性なだけで、全ての他の方向においては、実際には、弾性がない、または少なくとも非常に僅かな弾性を示す。これらの伸縮性織布を用いることは、さらに他の前進であったが、伸縮の方向が１つの軸のみに制限されていて、かかる布帛で形成されたブラジャーにより与えられる快適さおよび調節の可能なレベルが限られる。さらに、（特許文献３）は、多方向に伸縮の可能性を増大させる弾性ニット布帛でなく、一方向に伸縮性のある織布を示している。さらに、織布カップによるブラジャーはニッチな市場であり、ブラジャーの大半はニット布帛で作製されている。
【０００９】
２００５年１０月６日公開の「ブラジャー（Ｂｒａｓｓｉｅｒｅ）」、ファリャ（Ｆａｌｌａ）による米国特許出願公開（特許文献４）には、カップに２層の布帛とアンカーサポートパネルとを有するブラジャーが開示されている。３層は、好ましくは、一方向伸縮の布帛で作製されている。アンカーによって、ブラジャーが着用者の身体に対してフラットなままとなる。米国特許出願公開（特許文献４）は、本発明の衣類とは離れる教示をしており、主に伸縮性の布帛で作製されたブラジャーは十分なサポートを与えないと記載している。
【００１０】
身体での衣類の滑りを最小にし、動的な体型補整を行う３次元補整能力は、ブラジャーカップデザイン（例えば、２枚重ねの伸縮性布から作製されたカップ）等の体型補整衣類では、一般的に使えないことに留意されたい。実際、典型的なブラジャーでは、着用者の動作によって、補整能力が失われ、衣類が滑る。さらに、体型補整及びブラジャー構造はライクラ（ＬＹＣＲＡ）（登録商標）（本願特許出願人の登録商標で市販されている）エラスタン製品で作製されているが、ライクラ（ＬＹＣＲＡ）（登録商標）スパンデックス系製品の快適さ、補整能力およびサポートのレベルをさらに改善することが望まれている目標である。
【００１１】
従って、着用者に与える快適さ、補整能力およびサポートを改善することのできる、ライクラ（ＬＹＣＲＡ）（登録商標）スパンデックス含有布帛等の多層の弾性ニット布帛、または少なくとも二方向以上に伸縮性の布帛を有する体型補整衣類が必要とされている。かかる布帛は着用者が動いても適所に留まらなければならない。
【００１２】
【特許文献１】米国特許第４，４８１，９５１号明細書
【特許文献２】米国特許第５，４４７，４６２号明細書
【特許文献３】独国特許第２０１１４８７３号明細書
【特許文献４】米国特許出願公開第２００５／０２２１７１８Ａ１号明細書
【発明の開示】
【課題を解決するための手段】
【００１３】
いくつかの実施形態は、動作および／または静止状態で、ブラジャーまたはその他体型補整衣類の着用者の身体の最大の快適さ、補整および調節を与える多層の布帛を含有する工学的ブラジャー構造をはじめとする体型補整衣類における新たな布帛の開発における進歩を利用するものである。快適さ、体型補整およびサポートという望ましい特徴を良好に与えるために、多層の特定の材料を、ブラジャー（例えば、ブラカップやウィング）等の体型補整衣類の選択した位置に含めることが有利であることを見出した。本発明において、これらの布帛の層は、所定の形状を採って、ブラジャー構造のカップのデザインにおいて互いに相対的な所定の配向で構成される。これらの布帛の層は、単独で用いても、布帛に縫製またはその他の方法で適用されたその他材料と組み合わせてもよい。本発明の衣類の布帛の層は成形してもよい。
【００１４】
一実施形態は、内側布帛層と外側布帛層とを有する乳房受けカップを含むブラジャー等の体型補整衣類を提供するものである。さらに、本実施形態において、内側布帛層は第１のＸ−Ｘ’軸および第１のＹ−Ｙ’軸を画定し、外側布帛層は第２のＸ−Ｘ’軸および第２のＹ−Ｙ’軸を画定し、内側布帛層および外側布帛層は、内側布帛層の第１のＸ−Ｘ’軸が、外側布帛層の第２のＸ−Ｘ’軸に対して第１の角度θ１をなすように配向されている。本発明の衣類が、確実に３Ｄ補整能力を有し、身体での滑りを最小にし、着用者の快適さを最大とするために、かかる衣類を作製するのに用いる布帛は特定の等方性ヒステリシス特性を有している。さらに、本発明の本実施形態について、内側布帛層および外側布帛層は一緒になって、下式により定義されるＳ値を有する各布帛層に対してヒステリシス値を有する材料を提供する。
【００１５】
【数１】
2009511764.tif 000003
【００１６】
内側および外側布帛層のヒステリシス値を付与して、布帛の全体のヒステリシス値を決めなければならないことを考慮すると、内側および外側層の合わせたヒステリシス値は、約２０％未満であるのが好適である。
【００１７】
さらに、上記実施形態において、ブラジャーは、左カップと、左ウィング部と、任意で左ショルダストラップと、ブリッジと、右カップと、右ウィング部と、任意で右ショルダストラップと、留め具と、相手留め具またはフックバンドとを有する。さらに、上記の実施形態において、左カップの一端は左ウィング部に、他端はブリッジの一端に取り付けられており、存在するときは、左ショルダストラップの一端は左ウィング部分の遠心端に、他端は左カップの上部に接続されており、右カップの一端は右ウィング部に、他端はブリッジの一端に取り付けられており、存在するときは、右ショルダストラップの一端は右ウィング部の遠心端に、他端は右カップの上部に接続されている。さらに、留め具は右ウィング部の遠心端に接続されており、相手留め具は左ウィング部の遠心端に接続されている。
【００１８】
他の実施形態は、それぞれ内側布帛層と外側布帛層とをさらに含む一対のカップを含むブラジャーを含む。さらに、ブラジャーは、第１の角度θ１の値により決めることのできる内側布帛層の外側布帛層に対する角度をなす配向を含む。さらに、内側布帛層および外側布帛層は、十分な等方性ヒステリシスを有する。これについては明細書でさらに定義してあり、身体からの滑りを最小にして、ブラジャーを乳房の動作に適合させる。
【００１９】
ある実施形態のブラジャーは、バンドのないアンダーワイヤー、バンドのあるアンダーワイヤー、隠しアンダーワイヤー、ハーフカップアンダーワイヤー、ソフトカップ不可視サポートおよび三角ソフトカップミニマルブラのうち少なくとも１つであってよい。一対のカップは、フル、ハーフまたは部分被覆タイプのカップのうちの少なくとも１つであってよい。ブラジャーは成形されていてもよい。
【００２０】
布帛の内側層は、交差軸Ｘ４−Ｘ’４とＹ４−Ｙ’４を画定し、布帛の外側層は、交差軸Ｘ６−Ｘ’６とＹ６−Ｙ’６を画定する。第１の角度θ１は、軸Ｘ４−Ｘ’４とＸ６−Ｘ’６間の角度として定義される。第１の角度θ１は約１５度から約１６５度まで変動する。第２の角度θ２は、外側布帛層の最大弾性方向（すなわち、図１のＸ６）と、衣類の水平方向（すなわち、図１のＸｇ）との間の角度として定義される。第２の角度θ２は、０度から１８０度まで変動する。
【００２１】
内側布帛層および外側布帛層のそれぞれの第１の角度θ１、第２の角度θ２および等方性ヒステリシスの変動によって、ブラジャーの補整、快適さおよび調節が決まる。第１の角度θ１および第２の角度θ２は、バストの形状、バストの密度およびバストのボリュームのうち少なくとも１つに従って予め決められる。角度θ１およびθ２を変えることによって、カップの構造が変わって、バストの外観、形状およびボリュームを変えることができる。
【００２２】
補整は、さらに、最小化効果、リフトアップ効果およびフルバスト効果のうちの少なくとも１つを含む。多方向への動作中、補整が完全に維持され、同時に、衣類は着用者の身体と完全に接触したままとなる。
【００２３】
他の実施形態は、内側布帛層と外側布帛層とを有する成形可能な身体領域と接触させるための身体接触部分を含む体型補整衣類であり、内側布帛層は第１のＸ−Ｘ’軸および第１のＹ−Ｙ’軸を画定し、外側布帛層は第２のＸ−Ｘ’軸および第２のＹ−Ｙ’軸を画定し、内側布帛層および外側布帛層は、内側布帛層の第１のＸ−Ｘ’軸が、外側布帛層の第２のＸ−Ｘ’軸に対して第１の角度θ１をなすように配向されていて、内側布帛層および外側布帛層は一緒になって、下式により定義される変動係数（Ｓ）値を有する各布帛層に対してヒステリシス値を有する材料を提供する。
【００２４】
【数２】
2009511764.tif 000004
【００２５】
さらなる実施形態は、体型補整部分を含み、体型補整部分が、内側層と外側層とを有する多層布帛を含み、内側布帛層は第１のＸ−Ｘ’軸および第１のＹ−Ｙ’軸を画定し、外側布帛層は第２のＸ−Ｘ’軸および第２のＹ−Ｙ’軸を画定し、内側布帛層および外側布帛層は、内側布帛層の第１のＸ−Ｘ’軸が、外側布帛層の第２のＸ−Ｘ’軸に対して第１の角度θ１をなすように配向されており、内側布帛層および外側布帛層がそれぞれ弾性布を含み、それぞれ多方向弾性を提供する衣類である。
【００２６】
さらなる実施形態は、
内側布帛層と外側布帛層を含む少なくとも２層を有する多層布帛であり、
内側布帛層は第１のＸ−Ｘ’軸および第１のＹ−Ｙ’軸を画定し、外側布帛層は第２のＸ−Ｘ’軸および第２のＹ−Ｙ’軸を画定し、内側布帛層および外側布帛層は、内側布帛層の第１のＸ−Ｘ’軸が、外側布帛層の第２のＸ−Ｘ’軸に対して第１の角度θ１をなすように配向されていて、
内側布帛層および外側布帛層は一緒になって、下式により定義される変動係数（Ｓ）値を有する各布帛層に対してヒステリシス値を有する材料を提供する。
【００２７】
【数３】
2009511764.tif 000005
【００２８】
ある実施形態の限定されない実施例において、布帛は弾性特性および等方性のヒステリシス値を有する。これらのタイプの布帛を用いることにより、ある実施形態によれば、公知の方法により製造されるものよりも快適さおよび補整能力の大きな軟性かつ柔軟な体型補整衣類が提供される。
【００２９】
本発明を以下の図面を利用して、以下により詳細に説明する。
【発明を実施するための最良の形態】
【００３０】
ある実施形態において、布帛により提供される一体型補整能力を備えた体型補整衣類の構造のためのシステムがある。構造のこのシステムは、アクティブウェア、スポーツウェア、ブラ、パンティおよび補整衣類等の肌にじかに着ける衣類、ストッキング等のレッグウェアおよび靴下といった様々な異なる衣類構造に用いられる。実施例の多くは、ブラジャーの実施形態に係るものであるが、これは、成形可能な身体領域に適用されるものと考えられる。布帛構造の多くの利点が含まれているが、用途は衣類に限定されず、補整可能な領域と接触する布帛の移動や滑りの可能性のある家具用のクッション材をはじめとする任意の補整可能なまたは成形可能な媒体にも用いることができる。
【００３１】
いくつかの実施形態のブラジャーにおいて、このシステムが、ブラジャーデザインのカップおよびウィングに利用されている。特に、（ａ）布帛層の可変の補整能力と（ｂ）本発明のブラジャーカップのデザインの組み合わせによって、ブラジャーのカップとウィング部分について、より快適なフィットが得られる。本発明の衣類が、確実に３Ｄ補整能力を有し、身体での滑りを最小にし、着用者の快適さを最大とするために、かかる衣類を作製するのに用いる布帛は特定の等方性ヒステリシス特性を有している。
【００３２】
具体的には、ある実施形態は、乳房組織をより快適に成形し調節するためのブラジャーカップの構造を提供する。弾性または伸縮性のある布帛が、ブラジャーカップを形成する。布帛配向は、次のように定義される軸Ｘ−Ｘ’およびＹ−Ｙ’による座標系により定義される。Ｘ−Ｘ’軸は、布帛の最大伸縮方向である。ワープニット布帛については、これは、通常、縦方向である。Ｙ−Ｙ’軸は、Ｘ−Ｘ’軸に垂直な方向である。内側布帛層の縦および横方向は、外側布帛層の縦および横方向に対して１５度から１６５度の角度θ１で配向される。内側および外側層の互いのこの配向と、布帛層の材料特性によって、３次元補整能力のあるブラジャーカップが得られる。この補整能力を乳房組織に適用すると、快適で補整能力のあるサポートを着用者に与えることができる。
【００３３】
さらに、ある実施形態のブラジャーはまた、多くのブラジャーシルエットに乳房組織を成形する能力も与える。本発明が適用可能な考えられるブラジャーシルエットとしては、これらに限られるものではないが、バンドのないアンダーワイヤー、バンドのあるアンダーワイヤー、隠しアンダーワイヤー、ハーフカップアンダーワイヤー、ソフトカップ不可視サポート（すなわち、アンダーワイヤーなし）および三角ソフトカップミニマルブラが例示される。
【００３４】
さらに、本発明のブラジャー構造は、少なくとも４４ＤＤを含め４４ＤＤまで、例えば、４０Ｄを含め４０Ｄまでのブラジャーサイズで利用される。これより大きなサイズのブラジャーは、一般的には、ラッセルワープニットで作製されるが、本発明のシステムおよびブラジャーカップデザインで用いることのできる布帛構造は、これらに限られるものではないが、少なくともトリコットワープニット、ラッセルワープニット、サーキュラーニット、レース、フラットニット、少なくとも多方向に伸縮可能な織布および不織布を含む。これらの布帛は、ライクラ（ＬＹＣＲＡ）（登録商標）Ｔ９０２Ｃスパンデックスで作製したような一般的なラッセルワープニット布帛よりは低モジュラスであるが、本発明で用いると、快適性、成形性および調節性が改善される。
【００３５】
図１の例示の図面は、本発明の第１のブラジャー構造を示す。特に、図１は、カップ３、５、側部パネルまたはウィング７、１３およびショルダストラップ１１、１５を少なくとも含むブラジャー１の本発明の例示の実施形態の背面図である。図１は、ブラジャーを着用したときに着用者の皮膚と接触することが意図されたブラジャーの内側を示す。
【００３６】
左カップ３のデザインは、右カップ５の鏡像である。カップ３、５のデザインを、図２および３に示し、詳細に説明する。カップ３、５は、シース２９に含まれたアンダーワイヤー（図示せず）を含んでいてよい。シース２９はかかるアンダーワイヤーを囲んでいる。カップ３、５はそれぞれ、内側布帛層４と外側布帛層６とを有する。内側布帛層４および外側布帛層６は、多方向に少なくとも伸縮可能で、略等方性のヒステリシスを示す布帛でできている。あるいは、カップ３、５を、布帛の連続ピースとしてウィングに接合してもよい。
【００３７】
図１に示す各ウィング７、１３は、ウィング／パネルがカップからその遠心端に向かって離れるにつれて、より狭い部分２３、２５へとテーパがついている。あるいは、ウィング／パネル７、１３は、カップ３、５に近接する隣接部分から遠心端まで、その長さ全体にわたって同じ幅を保持していてもよい。ウィング７、１３は、多層の布帛、または縦横方向に沿って異なる機械的特性を備えた布帛をさらに含んでいてもよい。
【００３８】
図１に示すショルダストラップ１１、１５は、弾性および非弾性部分のうち少なくとも１つをさらに含んでいてもよい。ショルダストラップ１１、１５は、着用者の皮膚と接触する表面に詰め物（図示せず）をさらに含んでいてもよい。加えて、図１に示すショルダストラップ１１、１５は、ショルダストラップ１１、１５の長さを調節する手段（図示せず）をさらに含んでいてもよい。ショルダストラップの長さを調節する手段は、これらに限られるものではないが、マルチセクション留め金、クリップ等を含み、それらを通して、ショルダストラップ１１、１５は輪留めされて、ショルダストラップの全体の長さを調節する。あるいは、ある実施形態のブラジャーは、図１に示すようなショルダストラップを有していない。ブラジャーは、取外し可能な２つまたは１つのショルダストラップを有していても、１つも有していなくてもよい。
【００３９】
図１のブラジャー１は、左カップ３と、左ウィング部７と、ブリッジ部９と、左ショルダストラップ１１と、右カップ５と、右ウィング部１３と、右ショルダストラップ１５と、留め具１７と、相手留め具またはフックバンド１９とをさらに含む。左カップ３は、左ウィング部７、ブリッジ９および左ショルダストラップ１１に取り付けられている。左ショルダストラップ１１の一端は左ウィング部７の遠心端に、他端は左カップ３に連結されている。右ショルダストラップ１５の一端は右ウィング部１３の遠心端に、他端は左カップ５に連結されている。ブラジャーの背面は、他の構成も可能である。ブラジャー１のウィング部分７、１３は、テープ１９の１つまたは複数の留め具２１（フック等）を、バンド１７の相手留め具（図示せず）に連結することにより、相互連結されている。留め具１７は、少なくとも１つのフックテープとアイテープのうち少なくとも１つ等をさらに含んでいて、フックバンド１９との相互接続を可能にしてもよい。
【００４０】
図１のブラジャー１は、シース２９に導入されるアンダーワイヤー（図示せず）をさらに含んでいてもよい。シース２９は布帛からなり、アンダーワイヤーの詰め物となる。シース２９は、カップ３、５、ウィング７、１３および／またはブリッジ９のうち少なくとも１つに、それぞれの長さの少なくとも一部にわたって縫製または他の方法で取り付けられていて、更なるサポートを与える。アンダーワイヤーは、上下端および側端で、カップ３、５およびウィング７、１３を画定している。例えば、アンダーワイヤーは、着用者がブラジャー１を不快に感じさせる鋭い、または乱れた隅部および端部のない平らな断面プロフィールを示す。図１のブラジャーのカップは成形してもよい。
【００４１】
図２は、ブラジャー構造のカップの内側布帛層および外側布帛層の交互または多層「プラス（＋）」配向についての例示のブラジャーカップデザインを示す。特に、図２に示すとおり、内側布帛層４は、正弦第１端部３０、凸部第２端部４２、凹部第３端部４０および直線第４端部３６の所定の四隅の周囲形状を有する。所定の形状は、異なる方向に垂直側方リフトを与えることができる。内側布帛層４は、ブラジャー構造の外側布帛層６の下に位置している。図２に示す内側布帛層４は、水平Ｘ４−Ｘ４’軸３８と垂直軸Ｙ４−Ｙ４’軸３９の標準配向を有している。あるいは、Ｘ４−Ｘ４’軸を垂直とし、Ｙ４−Ｙ４’軸を水平とすることができる。図２のＸ４−Ｘ４’およびＹ４−Ｙ４’軸３８、３９は、それぞれ、内側布帛層４を形成する布帛の縦および横方向に対応している。図２および図３のブラジャーカップについての形状は、図１に示すブラジャーについてのみ例示されていることに留意されたい。他のブラデザインおよびサイズだと、異なるカップ形状が保証される。
【００４２】
外側布帛層６は、内側布帛層４と同等の所定の周囲形状を有している。外側布帛層６は、内側布帛層４の上部に位置している。外側布帛層６は、垂直Ｘ６−Ｘ６’軸４８および水平Ｙ６−Ｙ６’軸４６を有する。水平Ｙ６−Ｙ６’軸４６は、内側布帛層４のＹ４−Ｙ４’軸３９に対して±９０度回転する。布帛層軸の相対的な配向と、層と衣類軸との間の角度の組み合わせが、衣類の一体型３次元（３Ｄ）補整能力に寄与している。
【００４３】
ニット布帛の縦方向は、布帛の長さまたは機械方向である。機械方向は、布帛が機械から出てくる方向である。ワープニットにおいて、ヤーンは布帛の長さに沿ったニットである。ウェフトニットにおいて、ヤーンは横方向または交差方向に布帛を交差するニットである。一般的に言って、縦方向とは布帛の長さのことを指す。横方向は布帛の幅のことを指す。Ｘ−Ｘ’軸は、縦方向を表す。Ｙ−Ｙ’軸は、布帛の横方向（または交差）方向のことを指す。交互に、縦および横方向は、それぞれ、Ｙ−Ｙ’およびＸ−Ｘ’軸のことを指す。ライクラ（ＬＹＣＲＡ）（登録商標）スパンデックス繊維は、一般的に、ウェフトニットについては布帛の横方向において、およびワープニット布帛については縦方向において、ベアヤーンとしてのニットである。これらの布帛を作製する方法は、当業者に周知である。
【００４４】
衣類縫製プロセスを容易にするために、縫製前に、内側および外側布帛層４、６の端部を合わせて縫う。内側および外側層の形状は、デザインおよび所望のフィットの関数である。層は、任意の好適な方法を用いて接合される。これらに限られるものではないが、シングルニードル、ジグザグ、カバーステッチまたはオーバーロックステッチが例示される。布帛層４、６間の詰め物は用いても用いなくてもよい。図１の例示の衣類において、詰め物は用いなかった。
【００４５】
図１の衣類は、ビュレットポストモールディングマシン（独国、ウォルフェクのオプトテクスフォーム（Ｏｐｔｏｔｅｘｆｏｒｍ，Ｗｏｌｆｅｇｇ，Ｇｅｒｍａｎｙ）より市販）でモールド加工されたライクラ（ＬＹＣＲＡ）（登録商標）Ｔ９０２Ｃスパンデックスおよびナイロン（タイ、サムットプラカーンのペンアジア社（Ｐｅｎｎ  Ａｓｉａ  Ｃｏ．  Ｌｔｄ．，Ｓａｍｕｔｐｒａｋａｒｎ，Ｔｈａｉｌａｎｄ）より市販）を含有するワープニット布帛から構築した。成形されたカップは、カップを加熱し、加熱した丸みのあるシリンダーモールド（ビュレット）を布帛に、所望の時間にわたって、布帛の永久変形が生じる温度で押し付けることによって形成された。ブラジャーカップについて布帛を成形する技術は、当業者に周知である。ビュレットモールド温度は２０４℃、キャビティ温度は１９０℃、休止時間は５５秒であった。２つのモールドサイズを用い、Ｄカップについては、直径４．５インチのモールドを用いた。Ｂカップについては、直径３．５インチのモールドを用いた。３４Ｂ、３４Ｄおよび４０Ｄの３つのサイズのブラを作製した。記録したデータはサイズ３４Ｂのブラについてである。
【００４６】
第１の角度θ１は、Ｘ４−Ｘ’４軸３８とＸ６−Ｘ’６軸４８との間の角度として定義される（図２参照）。例えば、図２に示す実施形態において、θ１は約９０度である。第２の角度θ２は、外側布帛層のＸ６軸と衣類の水平方向Ｘｇとの間の角度として定義される（図１参照）。例えば、図１に示す実施形態において、θ２は約９０度である。角度θ１およびθ２を変えることによって、カップの構造において、バストの外観、形状およびボリュームを変えることができる。角度θ１は、約１５〜１６５度、例えば、約１５〜約９０度とすることができる。角度θ２は、約０〜１８０度、例えば、９０度、または、例えば、４５度とすることができる。衣類の補整能力は、衣類デザインの角度θ１およびθ２に影響される。所望の補整を行うために、最良の角度θ１およびθ２を慎重に選択すべきである。
【００４７】
図３は、ブラジャー構造のカップの内側布帛層４および外側布帛層６の他の交互または多層「クロス（Ｘ）」配向についての例示のブラジャーカップデザインを示す。特に、図３に示すとおり、内側布帛層４は、図２に示すのと同じ所定の形状を有しており、外側布帛層６下に位置している。図３に示す内側布帛層４は、水平Ｘ４−Ｘ４’軸３８と垂直軸Ｙ４−Ｙ４’軸３９の配向を有しており、それぞれ、図２に関して上述した標準配向に対して４５度回転している。あるいは、Ｘ４−Ｘ４’軸３８を水平とし、Ｙ４−Ｙ４’軸３９を垂直とすることができる。加えて、外側布帛層６は、図２に示すのと同じ所定の形状を有しており、内側布帛層４の上に、またはこれを覆って位置している。外側布帛層６は、垂直Ｙ６−Ｙ６’軸４８を有しており、内側布帛層４のＹ４−Ｙ４’軸３９に対して±９０度回転する。図３に示すとおり、Ｙ−Ｙ’軸３９、４８を回転した、布帛層４を覆う布帛層６のこの配向は、図２に示す配向に比べて、「Ｘ」配向を与える。図３に示す実施形態において、θ１は約９０度であり、θ２は約４５度である。
【００４８】
図４は、図２のブラジャーカップデザインの分解部分断面図を示す。内側布帛層４は、外側布帛層６から離れて示されている。ブラジャー構造において、かかる層は互いに近接していてもよいが、図２および図３を参照して説明した伸縮力および回転配向を利用して、自由に伸縮および回復の動きをする。
【００４９】
布帛層４、６は、少なくとも１つの弾性布または多方向に伸縮可能な少なくとも１つの布帛を含む。例えば、ブラジャーデザインの層４、６は、伸びのよい、独特の平坦な応力／ひずみ挙動のライクラ（ＬＹＣＲＡ）（登録商標）Ｔ９０２Ｃスパンデックス、コポリエーテル系クリアスパンデックスを含む。層４および６の布帛は、本明細書に記載した等方性ヒステリシス特性を有する。本発明の衣類が、確実に３Ｄ補整能力を有し、身体での滑りを最小にし、着用者の快適さを最大とするために、かかる衣類を作製するのに用いる布帛は特定の等方性ヒステリシス特性を有している。
【００５０】
ブラジャー１の層４、６は、これらに限られるものではないが、サーキュラーニット、トリコットワープニット、ラッセルワープニット、レース、フラットニットおよび二方向以上に少なくとも伸縮可能な不織布を含む。これらの布帛は、ライクラ（ＬＹＣＲＡ）（登録商標）Ｔ９０２Ｃスパンデックスで作製したような実施例の弾性布より保持力および弾性モジュラスが低いが、本発明で用いると、特定の等方性ヒステリシス特性が保持される限りは、快適性、補整およびサポートを改善することができる。追加の変形例として、布帛層４、６が、弾性および／または伸縮性布の組み合わせであると、改善された補整、快適さおよびサポートの所望の結果を衣類の着用者の身体に与えられる。
【００５１】
ある実施形態のブラカップの層４、６は、多層のラミネート材料を含んでいてもよい。例えば、カップは、単一布帛の層を含む、または、層は接着剤により接合された１枚または複数枚の布帛を含んでいてもよい。ブラはまた３層以上の布帛を含んでいてもよい。あるデザインにおいては、３層以上、５層までの布帛を提供するのが望ましく、恐らく、必要である。例えば、図９のハーフカップブラジャーでは、追加の層を用いて、乳房補整およびリフトアップを行うことができる。多層のブラデザインおよび使用についての技術は当業者に知られている。
【００５２】
図２Ａ〜４Ａを参照すると、多層布帛は、任意でラミネートされていてもよい２枚以上の布帛層を含んでいてもよい。内側４および外側層６等層のうち少なくとも２層は、弾性材料でできており、その他の中間層２を任意で含める。中間層２が存在する場合は、エラストマーから選択する。あるいは、中間層は、これらに限られるものではないが、布帛、フィルム、ファイバーフィル、発泡体、不織布およびこれらの組み合わせをはじめとする様々なその他の材料から選択してよい。
【００５３】
多方向伸縮を与える内側および外側層２は、様々な異なる布帛および最終用途を与えてよい。本発明の布帛の好適な用途としては、成形可能な身体領域または軟性組織領域の補整が望まれるところが例示される。これには、乳房、太もも、臀部、腹部および鼠径部等の領域が含まれる。好適な用途としては、アクティブウェア、スポーツウェア、靴下、包帯および肌にじかに着ける衣類が挙げられる。
【００５４】
ブラカップの層または任意の実施形態は成形される。例えば、カップは、約２００℃で約１分間成形される。ビュレットまたはスカルプチュアモールドを用いてよく、例えば、ビュレットモールドを用いて、所望のカップ形状を形成する。適正に行うと、成形は、衣類の補整能力を制限せず、ブラデザインおよび布帛特性を最良の補整のために補う。ブラ成形の技術は、ブラジャー衣類作製業界の当業者には知られている。
【００５５】
従来のスパンデックスがブラジャー構造に用いられているが、本発明の布帛層４、６は、従来のスパンデックス布帛とは異なる特徴を有している。これらの違いを、繊維の機械的特性を説明する図５のグラフに示す。特に、図５に、本発明の衣類に用いる布帛を作製するのに用いることのできる従来のスパンデックス繊維とライクラ（ＬＹＣＲＡ）（登録商標）Ｔ９０２Ｃスパンデックス繊維についての応力／ひずみヒステリシス曲線を示す。各曲線の上の線は、繊維を伸張または延ばすのに必要な力（すなわち、負荷力）を表す。各曲線の下の線は、繊維がある伸びで出す回復力（すなわち、無負荷力）を表す。無負荷力は、「応力減衰」として知られている現象のために、負荷力より常に小さい。応力／ひずみ曲線内の領域がヒステリシスである。負荷力と無負荷力との間の差が大きくなればなるほど、ヒステリシスが大きくなる。
【００５６】
図５は、本発明の衣類に用いる布帛を作製するのに用いることのできる弾性繊維を伸張するのに必要な力が従来のスパンデックス繊維より少ないことを示している。加えて、図５に示すように、弾性繊維の低ヒステリシスのために、かかる繊維により作製された布帛層の回復力は、着用および装着領域全体にわたって大きくなる。布帛層材料の低力特性の結果、着用者には、伸縮の動きに対する抵抗性がほとんどまたは全く感じられない。布帛層材料の低ヒステリシス特性の結果、布帛はその形状を即時に回復し、着用者の身体にぴったりと適合する。すなわち、本発明の衣類は、着用者の様々な動きを通して、身体に適合し、接触を維持する。さらに、本発明の衣類は、着用者の身体での滑りやスライドを解消する。その結果、衣類は、動きや着用中、所望の補整を維持することができる。
【００５７】
本発明に適用可能な弾性布の限定されない一例としては、ライクラ（ＬＹＣＲＡ）（登録商標）Ｔ９０２Ｃスパンデックスを含有する布帛が挙げられる。ライクラ（ＬＹＣＲＡ）（登録商標）Ｔ９０２Ｃは、伸びのよい、比較的平坦な応力／ひずみ挙動のコ−ポリエーテル系クリアスパンデックスである。本発明のライクラ（ＬＹＣＲＡ）（登録商標）Ｔ９０２Ｃスパンデックス含有衣類を用いると、着用者の身体にしっかりと固定し、ぴったりと適合するブラジャーカップを提供する。その結果、ある実施形態は、従来のエラストマーまたはその他材料で作製した公知のブラジャー構造に比べて快適さを改善する。
【００５８】
ある実施形態の衣類が、確実に３Ｄ補整能力を有し、身体での滑りを最小にし、着用者の快適さを最大とするために、かかる衣類を作製するのに用いる布帛は特定の等方性ヒステリシス特性を有している。衣類に用いることのできる布帛を後述する。インストロン（Ｉｎｓｔｒｏｎ）実験を用いて、所望の効果を衣類に与える布帛ヒステリシス特性を求めた。実験は各布帛について次のとおりに実施した。１）長さ−長さ（Ｌ＆Ｌ）、長端の縦方向に切断した２片を、互いに上に直接置いて、インストロン（Ｉｎｓｔｒｏｎ）で試験し、２）幅−幅（Ｗ＆Ｗ）、布帛の長端の横方向に切断した２片を、互いに上に直接置いて、インストロン（Ｉｎｓｔｒｏｎ）で試験し、および３）長さ−幅（Ｌ＆Ｗ）、布帛の縦方向に沿って切断した１片と横方向に切断した第２の片を、互いに上に直接置いて、インストロン（Ｉｎｓｔｒｏｎ）で試験した。この方法により計算したヒステリシスを、表１に、３つの布帛について示す。３つの測定技術の低変動によって、ある実施形態の衣類に好適な布帛を定義する。Ｌ＆Ｌ、Ｗ＆ＷおよびＬ＆Ｗ結果間の同じ低変動は、様々な異なるひずみ速度により、以下のインストロン（Ｉｎｓｔｒｏｎ）および異なる初期条件で、布帛Ａについて保持される。１）３０％の伸び（すなわち、１０ｃｍから１３ｃｍの距離）、２）９００ｍｍ／分の代わりに５００ｍｍ／分のインストロン（Ｉｎｓｔｒｏｎ）ひずみ速度、および３）２０％布帛を伸ばすのを５分間保持し、２０％までを数回（すなわち、６回以上）循環する。
【００５９】
Ｌ−Ｌ、Ｗ−ＷおよびＬ−Ｗにおける実験について以下のような結果Ｓ
【００６０】
【数４】
2009511764.tif 000006
【００６１】
を示す布帛を含むある実施形態の衣類が好適である。ほぼ等方性ヒステリシスは、上式に合うＳ値を有するものと定義される。Ｓは、３つのヒステリシスデータ点（ＨＬ＆Ｌ、ＨＷ＆ＷおよびＨＬ＆Ｗ）間の標準偏差として定義される。ＨＬ＆Ｌは、長さに沿って切断された２層の布帛を試験するときに測定されるヒステリシスと定義される。ＨＷ＆Ｗは、幅に沿って切断された２層の布帛を試験するときに測定されるヒステリシスと定義される。ＨＬ＆Ｗは、１つは長さに沿って切断され、第２は幅に沿って切断された２枚の層を、実施例に記載した方法で試験するときに測定されるヒステリシスと定義される。
【００６２】
下の試験結果に示されるとおり、ライクラ（ＬＹＣＲＡ）（登録商標）Ｔ９０２Ｃスパンデックスのような繊維で作製した弾性布またはその他伸縮性の布帛は、公知の布帛やブラジャー構造に比べて、着用者に、改善された補整能力、安定性、回復力および／または快適さを与えた。
【００６３】
図６〜図１４に、ある実施形態による様々なブラジャーを着用しているモデルの概略を示す。特に、図６〜図１０は、ある実施形態で実施することのできる様々なブラジャーシルエットの限定されない例を示す。図６は、ワイヤーのないソフトカップブラジャーの一例を示す。図７は、バンドのあるアンダーワイヤーブラジャーの一例を示す。図８は、隠しアンダーワイヤーブラジャーの一例を示す。図９は、ハーフカップアンダーワイヤーブラジャーの一例を示す。図１０は、三角ソフトカップミニマルブラジャーの一例を示す。
【００６４】
図１１〜図１４はそれぞれ、サポートおよび「補整能力」を示す様々なブラジャーおよびモデル位置を表す。図１１は、「アームス通常（Ａｒｍｓ  Ｎｏｒｍａｌ）」試験についてのブラジャーおよびモデル位置を示す。図１２は、「アームス横方向伸張（Ａｒｍｓ  Ｌａｔｅｒａｌｌｙ  Ｅｘｔｅｎｄｅｄ）」試験についてのブラジャーおよびモデル位置を示す。図１３は、「アームスアップ（Ａｒｍｓ  Ｕｐ）」試験についてのブラジャーおよびモデル位置を示す。図１４は、「アームス左から右へ（Ａｒｍｓ  Ｌｅｆｔ  ｔｏ  Ｒｉｇｈｔ）」試験についてのブラジャーおよびモデル位置を示す。
【００６５】
図１１〜１４に示す体位は、身体を異なる解剖学的軸に沿って動かすことにより、バストの位置を変えようとするものである。これらの動きは、感圧装置および身体スキャンと組み合わせて、バストとブラジャーとの間の接触および全体のバスト補整について調べるものである。図１１の「アームス通常（Ａｒｍｓ  Ｎｏｒｍａｌ）」姿勢では、手をウエストに置き、着用者は自然に呼吸している。これは、バストが動きなしで構成されている自然な姿勢である。図１２の「アームスアップ（Ａｒｍｓ  Ｕｐ）」姿勢では、上半身を上へ押す結果、皮膚と筋肉が最大に伸びている。この位置だと、バストが上へ移動する傾向が最大であり、皮膚を非常に伸ばした位置でのブラとバストの接触が試験される。図１３の「アームス横方向伸張（Ａｒｍｓ  Ｅｘｔｅｎｄｅｄ  Ｌａｔｅｒａｌｌｙ）」姿勢では、バストは、横方向に伸ばした腕により作られた面に沿って位置が変わる。この姿勢では、センサは、ブラとバストの接触を測定する。図１４の「アームス左から右へ（Ａｒｍｓ  Ｆｒｏｍ  Ｌｅｆｔ  ｔｏ  Ｒｉｇｈｔ）」姿勢では、体を「アームス横方向伸張（Ａｒｍｓ  Ｅｘｔｅｎｄｅｄ  Ｌａｔｅｒａｌｌｙ）」姿勢から９０度まで捻っている。この姿勢では、伸ばした腕により作られた面に沿ってブラ内側のバストの位置が変わるのが、捻りの影響と組み合わされている。このように、ブラとバストの接触および全体のバストの補整は厳しく試験される。
【００６６】
衣類により体にかかる圧力を測定し、評価して、試験衣類のフィットおよび快適さの特性を求める。３−Ｄボディスキャナ（独国、ウィスバーデンのビトロニック（Ｖｉｔｒｏｎｉｃ，Ｗｉｅｓｂａｄｅｎ，Ｇｅｒｍａｎｙ）より市販されているヴィタスプロ（ＶＩＴＵＳ  ＰＲＯ））は１６個の３−Ｄカメラと４つのカラーカメラとを有しており、スキャンワークス（ＳｃａｎＷｏｒＸ）３Ｄボディスキャナソフトウェア（ミシガン州、トロイのヒューマンソリューションズ（Ｈｕｍａｎ  Ｓｏｌｕｔｉｏｎｓ，Ｔｒｏｙ，Ｍｉｃｈｉｇａｎ）より市販）により処理できるボディスキャンファイルを生成する。３Ｄ圧力システム（マサチューセッツ州、ボストンのテックスキャン（ＴｅｋＳｃａｎ  Ｉｎｃ．，Ｂｏｓｔｏｎ，Ｍａｓｓａｃｈｕｓｅｔｔｓ）より市販）は、フィルム状圧力センサを利用して、２つの表面間の圧力を評価するものである。このフィルムセンサは、着用者のバストとブラとの間に挿入される。着用者が、動かずに立つ、つま先を触るという動作ルーチンを行う際に、図２２の３Ｄ時間依存性圧力プロフィールがコンピュータに記録される。
【００６７】
３Ｄボディスキャナは、体の外面または形状をスキャンする。図１５〜図１９の体積分布は、差分ボリューム（すなわち、断面表面積）対高さのプロットである。３Ｄスキャンからの高さで、その高さでの体の切片の表面積を計算することができる。同じ切片から、真のテープ外周を計算することができる。真の外周は、切片の真の周辺の長さであり、テープ外周は、図２０および図２１の可撓性テープを用いて測定した場合の切片のもつ外周である。
【００６８】
図１５は、図１１に示す、着用者が「アームス通常（Ａｒｍｓ  Ｎｏｒｍａｌ）」位置にあるときのブラジャー構造の体積分布を比較するグラフを示す。図１５のグラフは、従来のスパンデックスで作製した衣類と、カップの布帛層の「プラス（＋）」と「クロス（Ｘ）」の両配向によるブラジャー構造を用いるときのある実施形態の衣類の性能を比較している。これらの比較衣類において、「＋」と「Ｘ」構造間で直接比較を行った。図１５のグラフには、「＋」と「Ｘ」構造の両方を用いた衣類が、同じブラジャー構造を用いた従来のスパンデックスで作製された衣類よりも、乳房をリフトアップする（すなわち、補整能力）ことが示されている。このさらなるリフトアップは、本発明の衣類を用いたブラジャー構造が、乳房の動きに良好に従うことができることを示している。角度θ１およびθ２を変えることによって（例えば、上述したとおりに）、カップの構造が変わって、バストの外観、形状およびボリュームを変えることができる。
【００６９】
図１６は、図１２に示す、着用者が「アームス横方向伸張（Ａｒｍｓ  Ｌａｔｅｒａｌｌｙ  Ｅｘｔｅｎｄｅｄ）」位置にあるときのブラジャー構造の体積分布を比較するグラフを示す。図１６のグラフは、従来のスパンデックスで作製した衣類と、カップの布帛層の「プラス（＋）」と「クロス（Ｘ）」の両配向によるブラジャー構造を用いるときの本発明の衣類の性能を比較している。これらの比較衣類において、「＋」または「Ｘ」構造間で直接比較を行った。図１６のグラフには、「＋」と「Ｘ」ブラジャー構造の両方を用いた本発明の衣類が、同じブラジャー構造を用いた従来のスパンデックスで作製された衣類よりも、リフトアップに関して、より多くの補整能力を与えたことが示されている。このさらなるリフトアップは、本発明の衣類を用いたブラジャー構造が、乳房の動きにより良好に従うことを示している。
【００７０】
図１７は、図１３に示す、着用者が「アームスアップ（Ａｒｍｓ  Ｕｐ）」位置にあるときのブラジャー構造の体積分布を比較するグラフを示す。図１７のグラフは、従来のスパンデックスで作製した衣類と、カップの布帛層の「プラス（＋）」と「クロス（Ｘ）」の両配向によるブラジャー構造を用いるときのある実施形態の衣類の性能を比較している。これらの比較衣類において、「＋」と「Ｘ」構造間で直接比較を行った。図１７のグラフには、「＋」と「Ｘ」ブラジャー構造の両方を用いた本発明の衣類が、ある高さで同じブラジャー構造を用いた従来のスパンデックスで作製された衣類よりも、体積が減じたことが示されている。この減少した体積は、本発明の衣類を用いたブラジャー構造が、着用者が「アームスアップ（Ａｒｍｓ  Ｕｐ）」位置にあるとき、乳房の動きにより良好に従うことを示している。
【００７１】
図１８は、図１４に示す、着用者が「アームス左から右へ（Ａｒｍｓ  Ｌｅｆｔ  ｔｏ  Ｒｉｇｈｔ」位置にあるときのブラジャー構造の体積分布を比較するグラフを示す。図１８のグラフは、従来のスパンデックスで作製した衣類と、カップの布帛層の「プラス（＋）」と「クロス（Ｘ）」の両配向によるブラジャー構造を用いるときの本発明の衣類の性能を比較している。これらの比較衣類において、「＋」と「Ｘ」構造間で直接比較を行った。図１８のグラフには、「＋」と「Ｘ」ブラジャー構造の両方を用いた本発明の衣類が、ある高さで「＋」と「Ｘ」ブラジャー構造の両方を用いた従来のスパンデックスで作製された衣類よりも、体積が減じたことが示されている。本発明の衣類のこの減少した体積は、衣類が、着用者が「アームス左から右へ（Ａｒｍｓ  Ｌｅｆｔ  ｔｏ  Ｒｉｇｈｔ）」位置にあるとき、従来のスパンデックスの衣類よりも、乳房の動きにより良好に従うことを示している。
【００７２】
図１９は、図１１に示す、着用者が「アームス通常（Ａｒｍｓ  Ｎｏｒｍａｌ）」位置にあるときのブラジャー構造の真の外周を比較するグラフを示す。図１９のグラフは、従来のスパンデックスで作製した衣類と、カップの布帛層の「プラス（＋）」と「クロス（Ｘ）」の両配向によるブラジャー構造を用いるときの本発明の衣類の性能を比較している。これらの比較衣類において、「＋」と「Ｘ」構造間で直接比較を行った。図１９のグラフには、「＋」と「Ｘ」ブラジャー構造の両方を用いた本発明の衣類が、同じブラジャー構造を用いた従来のスパンデックスで作製された衣類よりも、ある高さで、より多くの外周を与える（すなわち、良好なリフトアップおよびフルバスト）ことが示されている。この追加の外周は、本発明の衣類を用いたブラジャー構造が、従来のスパンデックスで作製した衣類よりも、乳房の動きにより良好に従うことを示している。
【００７３】
図２０は、図１２に示す、着用者が「アームス横方向伸張（Ａｒｍｓ  Ｌａｔｅｒａｌｌｙ  Ｅｘｔｅｎｄｅｄ）」位置にあるときのブラジャー構造の真の外周を比較するグラフを示す。図２０のグラフは、従来のスパンデックスで作製した衣類と、カップの布帛層の「プラス（＋）」と「クロス（Ｘ）」の両配向によるブラジャー構造を用いるときの本発明の衣類の性能を比較している。これらの比較衣類において、「＋」と「Ｘ」構造間で直接比較を行った。図２０のグラフには、「＋」と「Ｘ」ブラジャー構造の両方を用いた本発明の衣類が、同じブラジャー構造を用いた従来のスパンデックスで作製された衣類よりも、ある高さで、真の外周の点で、より良いリフトアップおよびフルバストを与えることが示されている。この外周は、本発明の衣類を用いたブラジャー構造が、乳房の動きにより良好に従うことを示している。
【００７４】
図２１は、図１３に示す、着用者が「アームスアップ（Ａｒｍｓ  Ｕｐ）」位置にあるときのブラジャー構造の真の外周を比較するグラフを示す。図２１のグラフは、従来のスパンデックスで作製した衣類と、カップの布帛層の「プラス（＋）」と「クロス（Ｘ）」の両配向によるブラジャー構造を用いるときの本発明の衣類の性能を比較している。これらの比較衣類において、「＋」と「Ｘ」構造間で直接比較を行った。図２１のグラフには、「＋」と「Ｘ」ブラジャー構造の両方を用いた本発明の衣類が、ある高さで同じブラジャー構造を用いた従来のスパンデックスで作製された衣類よりも、外周が減じたことが示されている。この減少した外周は、本発明の衣類を用いたブラジャー構造が、着用者が「アームスアップ（Ａｒｍｓ  Ｕｐ）」位置にあるとき、乳房の動きにより良好に従うことを示している。
【００７５】
図２２は、着用者が立った姿勢からウエストを曲げてつま先を触るまでの動作をするときのブラジャー構造についてブラジャーカップにあるバストにかかる平均圧力を比較するグラフを示す。この動作を４回繰り返す。曲げている間、圧力変動は、本発明の衣類に比べて、従来のスパンデックスで作製した衣類は４〜５倍大きい。これは、図２２に示されており、平均アンダーバスト圧力（１０Ｈｚの周波数でサンプリングした４０のｓｅｎｓｅｌｓの平均）が時間に対してプロットされている。図２２において、従来のスパンデックスで作製した衣類についての大きな圧力の揺れは、バストと衣類との間の接触が失われたことを示している。一方、本発明の衣類について測定された小さな圧力変動は、衣類とバストとの間で失われた接触が最小であるということを示している。本発明により作製されたブラジャーがバストに対して定位置のままであるということになる。
【００７６】
まとめると、上のグラフ（すなわち、図１５〜図２２）は、本発明の衣類のブラジャー構造およびカップデザインにおいて、低バスト圧縮およびほぼ等方性ヒステリシス布帛、例えば、ライクラ（ＬＹＣＲＡ）（登録商標）Ｔ９０２Ｃスパンデックス布帛の改善された性能が確認される実験的証拠を与えるものである。この構造およびデザインは、ブラジャー、補整ウェアおよびスイムスーツ等の体型補整衣類の快適さ、補整およびサポートを改善する。本発明の衣類は、スキャナーと圧力の結果の両方に示されるとおり、上述した動作中、最小の滑りと最大の着用者快適性と共に、バストおよび胴との良好な接触を維持し、所望の補整を行う。
【実施例】
【００７７】
（分析方法）
インストロン（Ｉｎｓｔｒｏｎ）張力計で測定されたヒステリシス。マーリンインストロン（Ｍｅｒｌｉｎ  Ｉｎｓｔｒｏｎ）（型番５５００Ｒ、マサチューセッツ州、ノルウッドのインストロン（Ｉｎｓｔｒｏｎ，Ｎｏｒｗｏｏｄ，Ｍａｓｓａｃｈｕｓｅｔｔｓ）より市販）を、幅５ｃｍの布帛を取り付けられるようにしたクランプと共に用いた。クランプは初期の距離１０ｃｍで配置した。布帛片（約２０ｃｍ×５ｃｍ）を、まず、長さ（縦）、そして幅（横）方向に沿って切断した。切断した後、布帛試料を約２０分間にわたって静置した。各実験において、ひずみ速度を９００ｍｍ／分にセットし、０〜１００％の初期のクランプ距離１０ｃｍで伸張を行い、０％に戻した。２層布帛試料を、クランプ間に配置して、１０〜２０ｃｍ伸張してから、１０ｃｍに戻した。このプロセス（サイクル）を６回以上繰り返して、１つのサイクルから次まで変化しないという結果を得た。最後のサイクルを用いて、関連の全ての動的および機械的情報を抽出した。標準インストロン（Ｉｎｓｔｒｏｎ）ＲＡＷファイルに結果を記録し、マトラボ（Ｍａｔｌａｂ）（マサチューセッツ州、ナティックのマスワークス（Ｍａｔｈｗｏｒｋｓ，Ｎａｔｉｃｋ，Ｍａｓｓａｃｈｕｓｅｔｔｓ）より市販）等の標準的な数学ソフトウェアを用いて処理した。インストロン（Ｉｎｓｔｒｏｎ）負荷および無負荷曲線を、最小二乗３次スプラインを用いて適合させた。負荷および無負荷曲線の適合させたスプライン表示を用いて、曲線のヒステリシスを次のようにして計算することができる。
【００７８】
【数５】
2009511764.tif 000007
【００７９】
式中、０および０．１はｍであり、実験中の布帛の伸張を表しており、Ｆ負荷およびＦ無負荷は最後のサイクルの負荷および無負荷曲線について適合した３次最小二乗スプラインである。上式において、Ｌはｍで、ＦはＮであり、ヒステリシスはＪである。
【００８０】
【表１】
2009511764.tif 000008
【００８１】
表の最後の欄、変動係数（Ｓ）は、各布帛について３つの結果Ｌ＆Ｌ、Ｗ＆ＷおよびＬ＆Ｗの変動の比較の基礎を与える。変動係数（Ｓ）は、平均で除算し、１００％を乗算した３回の測定の標準偏差である。
【００８２】
布帛１Ａ（タイのペンアジア社（Ｐｅｎｎ  Ａｓｉａ，Ｔｈａｉｌａｎｄ）より市販）はライクラ（Ｌｙｃｒａ）（登録商標）Ｔ９０２Ｃスパンデックスで作製し、Ｓ値は本発明の限定内であった。布帛１Ｃ（ペンシルバニア州、ミルトンのＨ．ワルシャワ・アンド・サンズ社（Ｈ．Ｗａｒｓｈｏｗ  ａｎｄ  Ｓｏｎｓ，Ｉｎｃ．，Ｍｉｌｔｏｎ，Ｐｅｎｎｓｙｌｖａｎｉａ）より市販）はライクラ（Ｌｙｃｒａ）（登録商標）Ｔ１６２Ｂスパンデックスで作製した。Ｓ値は本発明にとっては高すぎる。布帛２Ｃ（台湾、台北のルーイタイ（Ｒｕｅｙ  Ｔａｙ，Ｔａｉｐｅｉ，Ｔａｉｗａｎ）より市販）はライクラ（Ｌｙｃｒａ）（登録商標）Ｔ１６２Ｃスパンデックスで作製した。Ｓ値は本発明にとっては高すぎる。
【００８３】
本発明の好ましい実施形態と現在考えられているものについて記載してきたが、当業者であれば、本発明の趣旨から逸脱することなく変形および変更を行ってもよく、かかる変形および変更は全て、本発明の真の範囲内に入るものであることが分かるであろう。
【図面の簡単な説明】
【００８４】
【図１】バンドのないアンダーワイヤーブラジャーシルエットの本発明の例示のブラジャー構造の背面図である。
【図２】図１のブラジャー構造のカップの内側布帛層および外側布帛層の多層「プラス（＋）」配向についての例示のブラジャーカップデザインの背面図を示す。
【図２Ａ】他の布帛構造に適用してよい図２に示すような内側および外側布帛層を示す。
【図３】図１のブラジャー構造のカップの内側布帛層および外側布帛層の多層「クロス（Ｘ）」配向についての例示のブラジャーカップデザインの変形背面図を示す。
【図３Ａ】他の衣類または布帛構造に適用してよい図３に示すような内側および外側布帛層を示す。
【図４】図２の線４−４に沿ったブラジャーカップデザインの分解部分断面図を示す。
【図４Ａ】任意の中間層を含む図２Ａの布帛の図４と同様の断面を示す。
【図５】本発明の衣類用の布帛を作製するのに用いることのできる従来のスパンデックス繊維とライクラ（ＬＹＣＲＡ）（登録商標）Ｔ９０２Ｃスパンデックス弾性繊維についての応力／歪み曲線を示す。
【図６】ワイヤーのないソフトカップブラジャーの一例を示す。
【図７】バンドのあるアンダーワイヤーブラジャーの一例を示す。
【図８】隠しアンダーワイヤーブラジャーの一例を示す。
【図９】ハーフカップアンダーワイヤーの一例を示す。
【図１０】三角ソフトカップミニマルブラの一例を示す。
【図１１】「アームス通常（Ａｒｍｓ  Ｎｏｒｍａｌ）」試験についてのブラジャーおよびモデル位置を示す。
【図１２】「アームス横方向伸張（Ａｒｍｓ  Ｌａｔｅｒａｌｌｙ  Ｅｘｔｅｎｄｅｄ）」試験についてのブラジャーおよびモデル位置を示す。
【図１３】「アームスアップ（Ａｒｍｓ  Ｕｐ）」試験についてのブラジャーおよびモデル位置を示す。
【図１４】「アームス左から右へ（Ａｒｍｓ  Ｌｅｆｔ  ｔｏ  Ｒｉｇｈｔ）」試験についてのブラジャーおよびモデル位置を示す。
【図１５】着用者が「アームス通常（Ａｒｍｓ  Ｎｏｒｍａｌ）」位置にあるときのブラジャー構造についてブラジャーカップにおける乳房を含めた身体の体積分布を比較するグラフを示す。
【図１６】着用者が「アームス横方向伸張（Ａｒｍｓ  Ｌａｔｅｒａｌｌｙ  Ｅｘｔｅｎｄｅｄ）」位置にあるときのブラジャー構造についてブラジャーカップにおける乳房を含めた身体の体積分布を比較するグラフを示す。
【図１７】着用者が「アームスアップ（Ａｒｍｓ  Ｕｐ）」位置にあるときのブラジャー構造についてブラジャーカップにおける乳房を含めた身体の体積分布を比較するグラフを示す。
【図１８】着用者が「アームス左から右へ（Ａｒｍｓ  Ｌｅｆｔ  ｔｏ  Ｒｉｇｈｔ）」位置にあるときのブラジャー構造についてブラジャーカップにおける乳房を含めた身体の体積分布を比較するグラフを示す。
【図１９】着用者が「アームス通常（Ａｒｍｓ  Ｎｏｒｍａｌ）」位置にあるときのブラジャー構造についてブラジャーカップにおける乳房を含めた身体の真の外周を比較するグラフを示す。
【図２０】着用者が「アームス横方向伸張（Ａｒｍｓ  Ｌａｔｅｒａｌｌｙ  Ｅｘｔｅｎｄｅｄ）」位置にあるときのブラジャー構造についてブラジャーカップにおいて乳房を含めた身体の真の外周を比較するグラフを示す。
【図２１】着用者が「アームスアップ（Ａｒｍｓ  Ｕｐ）」位置にあるときのブラジャー構造についてブラジャーカップにおいて乳房を含めた身体の真の外周を比較するグラフを示す。
【図２２】着用者がウエストを曲げたときのブラジャー構造についてブラジャーカップにあるバストにかかる平均圧力を比較するグラフを示す。
【図１】
2009511764.tif 000011
【図２】
2009511764.tif 000012
【図２Ａ】
2009511764.tif 000013
【図３】
2009511764.tif 000014
【図３Ａ】
2009511764.tif 000015
【図４】
2009511764.tif 000016
【図４Ａ】
2009511764.tif 000017
【図５】
2009511764.tif 000018
【図６】
2009511764.tif 000019
【図７】
2009511764.tif 000020
【図８】
2009511764.tif 000021
【図９】
2009511764.tif 000022
【図１０】
2009511764.tif 000023
【図１１】
2009511764.tif 000024
【図１２】
2009511764.tif 000025
【図１３】
2009511764.tif 000026
【図１４】
2009511764.tif 000027
【図１５】
2009511764.tif 000028
【図１６】
2009511764.tif 000029
【図１７】
2009511764.tif 000030
【図１８】
2009511764.tif 000031
【図１９】
2009511764.tif 000032
【図２０】
2009511764.tif 000033
【図２１】
2009511764.tif 000034
【図２２】
2009511764.tif 000035
【国際調査報告】
2009511764.tif 000036
2009511764.tif 000037
2009511764.tif 000038